(57)【要約】【課題】排気の際に各空気袋の収縮をスムーズに行うことができるエアマッサージ器用圧迫具を提供すること。【解決手段】第１空気袋１６と、第２空気袋１８と、第１空気袋１６をポンプ１２に接続するためのチューブ２４と、第１空気袋１６と第２空気袋１８とを連通する第１通路２２と、第２空気袋１８とチューブ２４、または第２空気袋１８と第１空気袋１６を連通する第２通路２６と、第２通路２６にあり、第２空気袋１８からチューブ２４または第１空気袋１６へ向かう方向へのみ空気を通すようにされたダックビル弁３０とを備えた、エアマッサージ器用圧迫具２０。【選択図】図１
2020137903.tif 000002
【特許請求の範囲】
【請求項１】
第１空気袋と、
第２空気袋と、
該第１空気袋をポンプに接続するためのチューブと、
該第１空気袋と該第２空気袋とを連通する第１通路と、
該第２空気袋と該チューブ、または該第２空気袋と該第１空気袋を連通する第２通路と、
該第２通路にあり、該第２空気袋から該チューブまたは該第１空気袋へ向かう方向へのみ空気を通すようにされた逆止弁と、を備えた、エアマッサージ器用圧迫具。
【請求項２】
該第２通路の断面積は該第１通路の断面積よりも大きい、請求項１に記載のエアマッサージ器用圧迫具。
【請求項３】
該チューブの通路の断面積は該第２通路の断面積よりも大きい、請求項１または２に記載のエアマッサージ器用圧迫具。
【請求項４】
該第２通路内に配置された筒状部材を備え、
該逆止弁は該筒状部材内に取付けられたダックビル弁である、請求項１乃至３のいずれか１項に記載のエアマッサージ器用圧迫具。
【請求項５】
請求項１乃至４のいずれか１項に記載のエアマッサージ器用圧迫具と、
該チューブに接続されたポンプと、を備えたエアマッサージ装置。
【発明の詳細な説明】
【技術分野】
【０００１】
本発明は、複数の空気袋を有するエアマッサージ器用圧迫具およびエアマッサージ器用圧迫具を備えるエアマッサージ装置に関する。
【背景技術】
【０００２】
従来のエアマッサージ器用圧迫具として、細い通路を介して連通した３つの空気袋を有し、それらの空気袋を腕や足などに巻き付けて装着した状態で当該空気袋に圧縮空気を供給・排出することで空気袋を膨張・収縮させて使用者の腕や足などを圧迫・開放しマッサージを行うようしたものがある（特許文献１）。このようなマッサージ器用圧迫具においては、空気袋に圧縮空気を供給するためのポンプに接続されたチューブは第１空気袋にのみつながれており、第１空気袋と第２空気袋の間、第２空気袋と第３空気袋の間はそれぞれ細い通路を介して連通している。そのため、ポンプからチューブを通して第１空気袋に圧縮空気を供給するだけで、初めに第１空気袋、次に第２空気袋、最後に第３空気袋を順番に時間差で膨張させて使用者のマッサージを行うことができるようになっている。
【先行技術文献】
【特許文献】
【０００３】
【特許文献１】特開平１１−４７２０９号公報
【発明の概要】
【発明が解決しようとする課題】
【０００４】
しかし、このようなマッサージ器用圧迫具においては、各空気袋から排気する際、第２空気袋と第３空気袋内の圧縮空気は再び細い通路を通して排出されるため各空気袋が収縮されるのに時間がかかる場合があり、使用者を圧迫している時間が長くなりすぎるという問題が生じることがあった。また、マッサージを行った後に各空気袋から圧縮空気を抜きづらいため、マッサージ器用圧迫具の片付けに時間がかかっていた。
【０００５】
そこで本発明は、各空気袋からの排気および各空気袋の収縮をスムーズに行うことができるエアマッサージ器用圧迫具およびエアマッサージ器用圧迫具を備えるエアマッサージ装置を提供することを目的とする。
【課題を解決するための手段】
【０００６】
すなわち本発明は、
第１空気袋と、
第２空気袋と、
該第１空気袋をポンプに接続するためのチューブと、
該第１空気袋と該第２空気袋とを連通する第１通路と、
該第２空気袋と該チューブ、または該第２空気袋と該第１空気袋を連通する第２通路と、
該第２通路にあり、該第２空気袋から該チューブまたは該第１空気袋へ向かう方向へのみ空気を通すようにされた逆止弁と、
を備えた、エアマッサージ器用圧迫具を提供する。
【０００７】
当該エアマッサージ器用圧迫具においては、第２空気袋とチューブ、または第２空気袋と第１空気袋を連通する第２通路があり、第２通路には第２空気袋からチューブまたは第１空気袋へ向かう方向へのみ空気を通す逆止弁が備えられている。このような構造により、エアマッサージ器用圧迫具に圧縮空気を供給して各空気袋を膨張させる際は、第２通路は使われず、初めに第１空気袋、次に第２空気袋と順番に時間差を持って膨張させることができる。また、各空気袋から圧縮空気を排出する際は、第２空気袋の圧縮空気は第１通路と第２通路の両方から排出されるため、排気がスムーズに行われる。これにより、各空気袋の収縮がスムーズに行われるため使用者を圧迫している時間が長くなりすぎることを防止でき、また、エアマッサージ器用圧迫具の片付けの際も簡単に空気を抜くことができる。
【０００８】
具体的には、該第２通路の断面積は該第１通路の断面積よりも大きくすることができる。
【０００９】
これにより、第２空気袋への圧縮空気の供給は比較的に小さな断面積を有する第１通路により行われることで第１空気袋が膨張してから第２空気袋が膨張されるようにしつつ、第２空気袋からの圧縮空気の排出は比較的に大きな断面積を有する第２通路により行われることで第２空気袋からの排気をスムーズに行うことができるようにすることができる。
【００１０】
また具体的には、該チューブの通路の断面積は該第２通路の断面積よりも大きくすることができる。
【００１１】
これにより、各空気袋からの排気を更にスムーズにすることができる。
【００１２】
更に具体的には、該第２通路内に配置された筒状部材を備え、
該逆止弁は該筒状部材内に取付けられたダックビル弁にすることができる。
【００１３】
本発明は更に、上述のいずれかのエアマッサージ器用圧迫具と、
該チューブに接続されたポンプと、
を備えたエアマッサージ装置を提供する。
【００１４】
以下、本発明に係るエアマッサージ装置の実施形態を添付図面に基づき説明する。
【図面の簡単な説明】
【００１５】
【図１】本発明の第１の実施形態に係るエアマッサージ装置のブロック図である。
【図２】本発明の第１の実施形態に係るエアマッサージ器用圧迫具を備えたエアマッサージ装置の図である。
【図３】本発明の第２の実施形態に係るエアマッサージ器用圧迫具の図である。
【発明を実施するための形態】
【００１６】
本発明の第１の実施形態に係るエアマッサージ装置１０は、図１および図２に示すように、ポンプ１２が内蔵された本体１４と、第１空気袋１６および第２空気袋１８を備えたエアマッサージ器用圧迫具２０とからなる。エアマッサージ器用圧迫具２０を腕や足などに装着した状態で、本体１４のポンプ１２が第１空気袋１６と第２空気袋１８に圧縮空気を供給したり、第１空気袋１６と第２空気袋１８から圧縮空気を排出したりすることで第１空気袋１６と第２空気袋１８が膨張と収縮を繰り返し、それにより腕や足の圧迫と開放を繰り返し使用者のマッサージが行われるようになっている。
【００１７】
本体１４は、更に電磁弁３６と圧力センサ３８と制御部４０を備えている。電磁弁３６は、三方弁であり、本体１４に接続されたチューブ２４を、流路４６ａを介してポンプ１２に連通した状態と流路４６ｂを介して排気口４２に連通した状態との間で切り換わるようになっている。排気口４２は、本体１４の外部に連通し大気開放されている。圧力センサ３８は、ポンプ１２と電磁弁３６との間の流路４６ａ内の圧力を測定するように配置されている。ポンプ１２と電磁弁３６と圧力センサ３８は、制御部４０と電気的に接続されており、制御部４０の指示によって各動作を行うようになっている。
【００１８】
エアマッサージ器用圧迫具２０は、２枚の生地３２を重ねて溶着部４４にて部分的に溶着することで形成されており、第１空気袋１６と、第１空気袋１６に隣接する第２空気袋１８とが溶着部４４によって区切られて形成されている。生地３２の端部３２ａにはフックの面ファスナー３４が取り付けられている。また、生地３２は、全体としてループの面ファスナー状とされており、生地３２に面ファスナー３４を固定できるようなっている。そのため、エアマッサージ器用圧迫具２０を使用する際は、使用者の腕や足に生地３２を巻き付け、面ファスナー３４によって固定することで使用者がエアマッサージ器用圧迫具２０を装着できるようになっている。このとき、面ファスナー３４を固定する位置を調整することで、使用者のサイズに合わせてエアマッサージ器用圧迫具２０を装着することができようになっている。
【００１９】
第１空気袋１６と第２空気袋１８は細い第１通路２２によって連通されている。第１通路２２は２枚の生地３２によって挟着されたホースからなり、エアマッサージ器用圧迫具２０の変形等によって通路が塞がれることがないようにされている。
【００２０】
エアマッサージ器用圧迫具２０はさらに、本体１４のポンプ１２に接続するためのチューブ２４を備えている。チューブ２４は第１空気袋１６から伸びるように備えられており、エアマッサージ器用圧迫具２０の第１空気袋１６は、チューブ２４および電磁弁３６と、流路４６ａまたは流路４６ｂとを介してポンプ１２または排気口４２に連通するようになっている。また、エアマッサージ器用圧迫具２０は、第２空気袋１８とチューブ２４とを連通する第２通路２６を備えている。第２通路２６内には筒状部材２８が配置されており、筒状部材２８内には逆止弁としてのダックビル弁３０が、第２空気袋１８からチューブ２４へ向かう方向へのみ空気を通す向きで取付けられている。筒状部材２８は、外部からの圧迫等によってダックビル弁３０が変形してしまうことを防ぐために比較的に硬質な材質で構成されている。第２通路２６の断面積は第１通路２２の断面積よりも大きく、チューブ２４の通路の断面積は第２通路２６の断面積よりも大きくされている。
【００２１】
エアマッサージ装置１０によるマッサージは下記のようにして行われる。
【００２２】
まず、エアマッサージ器用圧迫具２０を第１空気袋１６が体の末端側に位置するように腕や足に装着する。このとき、エアマッサージ器用圧迫具２０が腕や足にしっかりと密着するように装着することが好ましい。第１空気袋１６から伸びるチューブ２４を本体１４に接続し、本体１４の運転を開始する。そうすると、制御部４０の指示によって電磁弁３６が動作しチューブ２４とポンプ１２が連通した状態となった後に、ポンプ１２による圧縮空気の供給が開始される。ポンプ１２によって供給された圧縮空気は、流路４６ａ、電磁弁３６およびチューブ２４を通ってエアマッサージ器用圧迫具２０の第１空気袋１６に供給され、第１空気袋１６を膨張させる。このとき、ポンプ１２から供給された圧縮空気は第２通路２６にも供給されるが、供給された圧縮空気によってダックビル弁３０が閉止状態となり第２通路２６が閉止されるため、第２通路２６から第２空気袋１８へは給気されない。第１空気袋１６内の圧力が上がると、圧縮空気は第１通路２２を通り第２空気袋１８へ供給されて第２空気袋１８を膨張させる。このように、細い第１通路２２およびダックビル弁３０を備えた第２通路２６によって、第１空気袋１６と第２空気袋１８は順番に時間差を持って膨張する。圧力センサ３８が測定した流路４６ａの圧力が所定の設定圧力に到達すると、圧力センサ３８から制御部４０へ信号が送信される。制御部４０は、当該信号を受信するとポンプ１２の動作を停止し、ポンプ１２からエアマッサージ器用圧迫具２０への供給が停止される。エアマッサージ装置１０は、第１空気袋１６と第２空気袋１８が膨張された状態を一定時間維持する。給気が停止してから一定時間経過すると、制御部４０の指示によって電磁弁３６はチューブ２４と排気口４２が連通した状態に切り換わる。そうすると、第１空気袋１６内の圧縮空気は、チューブ２４を通りエアマッサージ器用圧迫具２０から排出され、さらには電磁弁３６、流路４６ｂおよび排気口４２を通って大気に排出される。第１空気袋１６から排気されるとチューブ２４からダックビル弁３０までの流路の圧力が低下するため、閉止されていたダックビル弁３０が開放状態となり、第２通路２６は開放される。そのため、第２空気袋１８内の圧縮空気は、第１通路２２を通り第１空気袋１６へ移動してチューブ２４を通り排出される順路と、第２通路２６と第２通路２６内のダックビル弁３０を通りチューブ２４から排出される順路の両方を通ってエアマッサージ器用圧迫具２０から排出され、さらには上述のように排気口４２を通って大気に排出される。排気が始まってから一定時間経過すると、制御部４０の指示によって電磁弁３６がチューブ２４とポンプ１２とを連通下状態に切り替わり、またポンプ１２による圧縮空気の供給が開始される。エアマッサージ装置１０は、このように圧縮空気の供給と排出を所定の回数繰り返すようになっている。なお、エアマッサージ器用圧迫具２０からの排気が始まってから再度エアマッサージ器用圧迫具２０への給気が始まるまでの時間は、第１空気袋１６および第２空気袋１８内の圧縮空気が大気に排出されるよう十分な長さの時間とされている。
【００２３】
このように、第２空気袋１８の圧縮空気は、第１通路２２よりも大きな断面積を有する第２通路２６からも排出されるため、第２空気袋１８からの排気および第１および第２空気袋１６、１８の収縮がスムーズに行われ、使用者を圧迫している時間が長くなりすぎることを防止することができる。また、エアマッサージ装置１０によるマッサージが終了した際に片付けのために第１空気袋１６および第２空気袋１８内に残っている圧縮空気を排出する際も、第２空気袋１８内の圧縮空気は第２通路２６からも排出されるため、第２空気袋内の圧縮空気をスムーズに抜くことができる。
【００２４】
なお、排気の際は圧縮空気が必ずチューブ２４を通ることになるが、チューブ２４の断面積は、第１通路２２と第２通路２６の断面積よりも大きくなっているためスムーズな排気が可能となる。第１通路２２は第１空気袋１６と第２空気袋１８を順番に時間差をもって膨張させるような細い通路であるため、第１通路２２からの排気はゆっくりとしか行われない。これに対して、第２通路２６の断面積は第１通路２２の断面積よりも大きいので、第２通路２６を通した排気はスムーズに行われる。チューブ２４の断面積は、例えば第１通路２２の断面積と第２通路２６の断面積の和以上とすることができる。
【００２５】
図３に示す本発明の第２の実施形態に係るエアマッサージ器用圧迫具１２０は、逆止弁としてのダックビル弁１３０を備えた第２通路１２６の位置が第１の実施形態と異なる。当該実施形態における第２通路１２６は、第１空気袋１１６と第２空気袋１１８を連結する通路として配置されており、筒状部材２８と同様に、外部からの圧迫等によってダックビル弁１３０が変形してしまうことを防ぐために比較的に硬質な材質で構成されている。第２空気袋１１８内の圧縮空気は、第１通路１２２を通り第１空気袋１１６へ移動してチューブ１２４を通り排気される順路と、第２通路１２６と第２通路１２６内の逆止弁としてのダックビル弁１３０を通り第１空気袋１１６へ移動してチューブ１２４を通る順路の両方を通って排気される。エアマッサージ器用圧迫部１２０の他の形態ならびにエアマッサージ器用圧迫具１２０を備えるエアマッサージ装置の形態および使用方法は、エアマッサージ器用圧迫具２０およびエアマッサージ装置１０とほぼ同様であるため、説明を省略する。
【００２６】
以上、本実施形態に係るエアマッサージ器用圧迫具およびエアマッサージ装置について説明したが、本発明はこれに限定されるものではない。例えば、逆止弁はダックビル弁に限らず傘型弁などでもよい。チューブの断面積は第１通路や第２通路の断面積よりも小さくてもよい。
【符号の説明】
【００２７】
エアマッサージ装置１０；ポンプ１２；本体１４；第１空気袋１６；第２空気袋１８；エアマッサージ器用圧迫具２０；第１通路２２；チューブ２４；第２通路２６；筒状部材２８；ダックビル弁３０；生地３２；面ファスナー３４；電磁弁３６；圧力センサ３８；制御部４０；排気口４２；溶着部４４；流路４６ａ；通路４６ｂ；第１空気袋１１６；第２空気袋１１８；エアマッサージ器用圧迫具１２０；第１通路１２２；チューブ１２４；第２通路１２６；ダックビル弁１３０；
【図１】
2020137903.tif 000003
【図２】
2020137903.tif 000004
【図３】
2020137903.tif 000005
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
第１空気袋と、
第２空気袋と、
該第１空気袋をポンプに接続するためのチューブと、
該第１空気袋と該第２空気袋とを連通する第１通路と、
該第２空気袋と該チューブ、または該第２空気袋と該第１空気袋を連通する第２通路と、
該第２通路にあり、該第２空気袋から該チューブまたは該第１空気袋へ向かう方向へのみ空気を通すようにされた逆止弁と、を備えた、エアマッサージ器用圧迫具。
【請求項２】
該第２通路内に配置された筒状部材を備え、
該逆止弁は該筒状部材内に取付けられたダックビル弁である、請求項１に記載のエアマッサージ器用圧迫具。
【請求項３】
請求項１または２に記載のエアマッサージ器用圧迫具と、
該チューブに接続されたポンプと、を備えたエアマッサージ装置。